(57)【特許請求の範囲】
【請求項１】
データ伝送方法であって、
マルチメディアアクセスポイントが、反対端のマルチメディアクライアントの現在のＷＬＡＮの作動モードを認識するステップと、
前記マルチメディアアクセスポイントが、送信しようとするデータパケットが送達すべき送信先デバイスのアドレスと前記マルチメディアクライアントのアドレスを比較し、同一ではない場合、前記マルチメディアアクセスポイントの現在のＷＬＡＮの作動モードと前記マルチメディアクライアントの現在のＷＬＡＮの作動モードがいずれも三アドレスモードであるかどうかを判断し、そうであると、前記送信しようとするデータパケットが前記マルチメディアアクセスポイントのＷｉＦｉインターフェースにより送信されることを禁止することを確定するステップと、
を含むデータ伝送方法。
【請求項２】
前記マルチメディアアクセスポイントが、前記送信しようとするデータパケットが前記ＷｉＦｉインターフェースにより送信されることを禁止することを確定した後、前記ＷｉＦｉインターフェース以外のインターフェースにより、前記送信しようとするデータパケットを送信するステップ、
を更に含むことを特徴とする、請求項１に記載のデータ伝送方法。
【請求項３】
マルチメディアアクセスポイントであって、
抽象化層エンティティを有し、
前記抽象化層エンティティは、反対端のマルチメディアクライアントの現在のＷＬＡＮの作動モードを認識し、送信しようとするデータパケットが送達すべき送信先デバイスのアドレスと前記マルチメディアクライアントのアドレスを比較し、両アドレスが同一ではない場合、前記マルチメディアアクセスポイントの現在のＷＬＡＮの作動モードと前記マルチメディアクライアントの現在のＷＬＡＮの作動モードがいずれも三アドレスモードであるかどうかを判断し、そうであると、前記送信しようとするデータパケットが前記マルチメディアアクセスポイントのＷｉＦｉインターフェースにより送信されることを禁止することを確定するように設定される、
ことを特徴とするマルチメディアアクセスポイント。
【請求項４】
前記抽象化層エンティティは、更に、前記送信しようとするデータパケットが前記ＷｉＦｉインターフェースにより送信されることを禁止することを確定した後、前記ＷｉＦｉインターフェース以外のインターフェースにより、前記送信しようとするデータパケットを送信するように設定される、
ことを特徴とする、請求項３に記載のマルチメディアアクセスポイント。
【請求項５】
ＷＬＡＮ／ＭＡＣエンティティ又は上層エンティティを更に含み、
前記抽象化層エンティティは更に、
前記ＷＬＡＮ／ＭＡＣエンティティ又は前記上層エンティティに対し前記マルチメディアアクセスポイントの現在のＷＬＡＮの作動モードをクエリし、クエリして認識した前記マルチメディアアクセスポイントの現在のＷＬＡＮの作動モードを前記マルチメディアクライアントに通知し、又は、
前記マルチメディアアクセスポイントの現在のＷＬＡＮの作動モードが変更された後、前記ＷＬＡＮ／ＭＡＣエンティティ又は前記上層エンティティからの通知により、前記マルチメディアアクセスポイントの現在のＷＬＡＮの作動モードを認識し、認識した前記マルチメディアアクセスポイントの現在のＷＬＡＮの作動モードを前記マルチメディアクライアントに通知するように設定される、
ことを特徴とする、請求項４に記載のマルチメディアアクセスポイント。
【請求項６】
データ伝送方法であって、
マルチメディアクライアントが、反対端のマルチメディアアクセスポイントの現在のＷＬＡＮの作動モードを認識するステップと、
前記マルチメディアクライアントが、送信しようとするデータパケットの初期送信デバイスのアドレスと前記マルチメディアクライアントのアドレスを比較し、同一ではない場合、前記マルチメディアクライアントの現在のＷＬＡＮの作動モードと前記マルチメディアアクセスポイントの現在のＷＬＡＮの作動モードがいずれも三アドレスモードであるかどうかを判断し、そうであると、前記送信しようとするデータパケットが前記マルチメディアクライアントのＷｉＦｉインターフェースにより送信されることを禁止することを確定するステップと、
を含むデータ伝送方法。
【請求項７】
前記マルチメディアクライアントが、前記送信しようとするデータパケットが前記ＷｉＦｉインターフェースにより送信されることを禁止することを確定した後、前記ＷｉＦｉインターフェース以外のインターフェースにより、前記送信しようとするデータパケットを送信するステップ、
を更に含むことを特徴とする、請求項６に記載のデータ伝送方法。
【請求項８】
マルチメディアクライアントであって、
抽象化層エンティティを有し、
前記抽象化層エンティティは、反対端のマルチメディアアクセスポイントの現在のＷＬＡＮの作動モードを認識し、送信しようとするデータパケットの初期送信デバイスのアドレスと前記マルチメディアクライアントのアドレスを比較し、両アドレスが同一ではない場合、前記マルチメディアクライアントの現在のＷＬＡＮの作動モードと前記マルチメディアアクセスポイントの現在のＷＬＡＮの作動モードがいずれも三アドレスモードであるかどうかを判断し、そうであると、前記送信しようとするデータパケットが前記マルチメディアクライアントのＷｉＦｉインターフェースにより送信されることを禁止することを確定するように設定される、
ことを特徴とするマルチメディアクライアント。
【請求項９】
前記抽象化層エンティティは、更に、前記送信しようとするデータパケットが前記ＷｉＦｉインターフェースにより送信されることを禁止することを確定した後、前記ＷｉＦｉインターフェース以外のインターフェースにより、前記送信しようとするデータパケットを送信するように設定される、
ことを特徴とする、請求項８に記載のマルチメディアクライアント。
【請求項１０】
ＷＬＡＮ／ＭＡＣエンティティ又は上層エンティティを更に含み、
前記抽象化層エンティティは更に、
前記ＷＬＡＮ／ＭＡＣエンティティ又は前記上層エンティティに対し前記マルチメディアクライアントの現在のＷＬＡＮの作動モードをクエリし、クエリして認識した前記マルチメディアクライアントの現在のＷＬＡＮの作動モードを前記マルチメディアアクセスポイントに通知し、又は、
前記マルチメディアクライアントの現在のＷＬＡＮの作動モードが変更された後、前記ＷＬＡＮ／ＭＡＣエンティティ又は前記上層エンティティからの通知により、前記マルチメディアクライアントの現在のＷＬＡＮの作動モードを認識し、認識した前記マルチメディアクライアントの現在のＷＬＡＮの作動モードを前記マルチメディアアクセスポイントに通知するように設定される、
ことを特徴とする、請求項９に記載のマルチメディアクライアント。
【発明の詳細な説明】
【技術分野】
【０００１】
本発明は通信分野に関し、特にデータ伝送方法、マルチメディアアクセスポイント及びマルチメディアクライアントに関する。
【背景技術】
【０００２】
ＩＥＥＥ標準化機構は新たなＰ１９０５．１標準を確立している。図１に示すように、該標準はホームネットワークの多種のメディアに抽象化層を提供する。この抽象化層は異機種のホームネットワークメディア、例えばＩＥＥＥ  Ｐ１９０１（ＰＬＣ、Ｐｏｗｅｒ  Ｌｉｎｅ  Ｃｏｍｍｕｎｉｃａｔｉｏｎ、電力線通信）、ＩＥＥＥ  ８０２．１１（無線ローカルエリアネットワーク、ＷＬＡＮ）、ＩＥＥＥ  ８０２．３（イーサネット（登録商標））及びＭｏＣＡ  １．１に一つの汎用の制御とデータプレーンのＳＡＰ（Ｓｅｒｖｉｃｅ  Ａｃｃｅｓｓ  Ｐｏｉｎｔ、サービスアクセスポイント）を提供する。該抽象化層は、使用している各リンクに対して詳細かつ具体的な運行情報を抽象することができ，更に異なるリンクで送受信されたデータを集める。それにより、ホームネットワークにおいて各種の相互接続技術のシームレスな接続を実現する。該ソフトウェア層により、更に高レベルのネットワーク管理を行うことができる。例えば、ユーザ装置は異なる技術をサポートするリンクに接続される場合、再び異なるパスワードを入力する必要がなく、簡単的にボタンをクリックすればよい。ＩＥＥＥ  Ｐ１９０５．１はデバイスの発見と設定を完成することができ、安全接続を確立することができ、更に他の幾つかの先進的なネットワーク管理機能を提供する。
【０００３】
以下のように、ＩＥＥＥ  Ｐ１９０５．１は複数の重要な機能を提供することができ、多くの利点を有し、次世代のホームネットワークを実現することに用いられることができる。
【０００４】
１）使い易さ：消費者に向かっている技術として、ネットワークの設定と使用が消費者に対して透明であるべきであることは重要である。ＩＥＥＥ  Ｐ１９０５．１はネットワークにデバイスの増設、安全的なリンクの確立及び知能的なネットワークの管理に汎用の設定方法を提供する。
【０００５】
２）信頼可能なサービス：輻輳又は接続が一時的に中断することなどの一般的なネットワーク問題によりサービス品質の劣化を引き起こす可能性がある。リンク選択メカニズムを採用することにより、デバイスは切り替え可能なリンクを使用することができる。それにより、サービスの中断回数を減少させ、良いユーザ体験を確保する。
【０００６】
３）ネットワークの容量の増大：混合ネットワークは異なるリンクの全ての帯域幅を集めて、最大限にスループットを増大させる。
【０００７】
４）多重のメディアストリームの伝送をサポートすること：インタラクティブテレビなどの応用において、ひいては１つのユーザが同時に複数のメディアストリームを見ることができるので、新世代のネットワークは同時に多重の高解像度ストリーミングメディアをサポートしなければならない。
【０００８】
５）輻輳の管理：ロードバランシングをサポートするとともにネットワーク輻輳を制限することができ、ネットワークの信頼性と内容の品質を保証する。
【０００９】
６）相互の操作性：完全的にＨｏｍｅＰｌｕｇ、ＷｉＦｉ、イーサネット及びＭｏＣＡ技術の標準規範をサポートし、且つこれらの技術との下位互換性を実現することができる。
【００１０】
７）安全性：オペレータは、安定的で信頼可能な安全メカニズムを希望すると同時に、多すぎるオンサイト又はアフターマーケット電話サービスを避けるために、このような安全メカニズムは必ず十分に簡単であるべきであり、これにより使い易さを向上させる。デバイスボタンをクリックすれば設定することができるので、パスワード入力のような複雑な操作を避ける。
【００１１】
８）監視と診断によってより高い信頼性を実現すること：一致な診断を提供することができる。なお、オペレータは更にネットワークを遠隔監視することができ、事前に可能な損壊を修復することにより、ユーザの体験に影響することを防止する。
【００１２】
９）セルフインストール：新世代のホームネットワークが簡単なインストール、発見、及びセルフ設定をサポートしなければならない。
【００１３】
１０）汎用の相互接続：新世代のネットワークは完全な透明性を実現する必要があり、ユーザは必ず家におけるいずれの部屋においてもネットワークに接続することができ、且つユーザがどのようなインターフェースにより通信するかを認識する必要がない。なお、１つの部屋（及びインターフェース）からもう１つの部屋（及びインターフェース）に転移する際、リンクの切り替えは必ずシームレスなものである。
【００１４】
ＩＥＥＥ  Ｐ１９０５．１は効果的な技術を提供することにより、確実に現在のホームネットワークに存在する現実問題を解決する。これらの問題を解決することで、オペレータは完全な混合ネットワークを配置することができる。ＩＥＥＥ  Ｐ１９０５．１は現在に既に配置された相互接続技術をシームレスに接続させ、家庭の相互接続を実現するために必要な最後の１つの要素を提供する。
【００１５】
マルチメディアアクセスポイントＡＰとマルチメディアクライアントＣｌｉｅｎｔは異機種ホームネットワークのデバイスタイプの１つであり、ＷＬＡＮをサポートする他、更にＰＬＣなどの他の伝送方式をサポートする。マルチメディアクライアントは一般的にＷｉＦｉをサポートするノートパソコン、携帯電話などの端末及び消費電子デバイスを指す。
【００１６】
ＷＬＡＮは四アドレスモード又は三アドレスモードを採用することができる。
【００１７】
四アドレスモードは、４つのアドレスの構造（データパケット送信元アドレス、データパケット送信先アドレス、ＷｉＦｉ送信アドレス、ＷｉＦｉ受信アドレス）を採用する。ＡＰ（アクセスポイント）がＣｌｉｅｎｔへデータパケットを送信することを例として説明すると、データパケット送信元アドレスはＡＰ上位接続デバイスのアドレス、下位関連デバイスのアドレス又はＡＰのアドレス（ＡＰがデータパケットを生成する場合）である。データパケット送信先アドレスはＣｌｉｅｎｔ下位関連デバイスのアドレス（データパケットが最終にＣｌｉｅｎｔ下位関連デバイスに送信される場合）である。ＷｉＦｉ送信アドレスはＡＰのアドレスである。ＷｉＦｉ受信アドレスはＣｌｉｅｎｔのアドレスである。
【００１８】
三アドレスモードとは、ＡＰがＣｌｉｅｎｔへデータを送信する場合、３つのアドレス（データパケット送信元アドレス、ＷｉＦｉ送信アドレス、ＷｉＦｉ受信アドレス）で送信し、ＣｌｉｅｎｔがＡＰへデータを送信する場合、３つのアドレス（データパケット送信先アドレス、ＷｉＦｉ送信アドレス、ＷｉＦｉ受信アドレス）で送信することを指す。
【００１９】
図２のネットワーキング図に示すように、マルチメディアホームネットワークのネットワーキング環境で、マルチメディアクライアントに端末デバイスが下位関連され（例えばＰＣマシン、セットトップボックス等が下位関連される）、マルチメディアアクセスポイントとマルチメディアクライアントの間はＷｉＦｉ及び他の有線／無線方式により接続される。現在、マルチメディアホームネットワークのネットワーキング環境で、常にマルチメディアクライアントの下位関連デバイスとマルチメディアアクセスポイントの上位接続又は下位関連のデバイスとが正常に通信することができないという問題が生じている。
【発明の概要】
【発明が解決しようとする課題】
【００２０】
本発明が解決しようとする技術問題は、マルチメディアホームネットワークのネットワーキング環境で、マルチメディアクライアントの下位関連デバイスと、マルチメディアアクセスポイントの上位接続又は下位関連デバイスとが正常に通信することを保証するデータ伝送方法、マルチメディアアクセスポイント及びマルチメディアクライアントを提供することである。
【課題を解決するための手段】
【００２１】
上記技術問題を解決するために、本発明のデータ伝送方法は、マルチメディアアクセスポイントＡＰは反対端のマルチメディアクライアントＣｌｉｅｎｔから反対端のマルチメディアクライアントの現在の無線ローカルエリアネットワークＷＬＡＮの作動モードを認識すること、前記マルチメディアアクセスポイントは送信しようとするデータパケットが送達すべき送信先デバイスのアドレスと前記反対端のマルチメディアクライアントのアドレスを比較し、同一ではない場合、自体の現在のＷＬＡＮの作動モードと反対端のマルチメディアクライアントの現在のＷＬＡＮの作動モードがいずれも三アドレスモードであるかどうかを判断し、そうであると、前記送信しようとするデータパケットが前記マルチメディアアクセスポイントのワイヤレスフィデリティＷｉＦｉインターフェースにより送信されることを禁止することを確定すること、を含む。
【００２２】
好ましくは、前記マルチメディアアクセスポイントは、前記送信しようとするデータパケットが前記マルチメディアアクセスポイントのＷｉＦｉインターフェースにより送信されることを禁止することを確定した後、前記マルチメディアアクセスポイントにおける前記ＷｉＦｉインターフェース以外のインターフェースにより、前記送信しようとするデータパケットを送信することを更に含む。
【００２３】
マルチメディアアクセスポイントであって、抽象化層エンティティを含み、前記抽象化層エンティティは、反対端のマルチメディアクライアントＣｌｉｅｎｔから反対端のマルチメディアクライアントの現在の無線ローカルエリアネットワークＷＬＡＮの作動モードを認識し、送信しようとするデータパケットが送達すべき送信先デバイスのアドレスと前記反対端のマルチメディアクライアントのアドレスを比較し、同一ではない場合、マルチメディアアクセスポイントＡＰの現在のＷＬＡＮの作動モードと反対端のマルチメディアクライアントの現在のＷＬＡＮの作動モードがいずれも三アドレスモードであるかどうかを判断し、そうであると、前記送信しようとするデータパケットが前記マルチメディアアクセスポイントのワイヤレスフィデリティＷｉＦｉインターフェースにより送信されることを禁止することを確定するように設定される。
【００２４】
好ましくは、前記抽象化層エンティティは更に、前記送信しようとするデータパケットが前記マルチメディアアクセスポイントのＷｉＦｉインターフェースにより送信されることを禁止することを確定した後、前記マルチメディアアクセスポイントにおける前記ＷｉＦｉインターフェース以外のインターフェースにより、前記送信しようとするデータパケットを送信するように設定される。
【００２５】
好ましくは、無線ローカルエリアネットワークメディアアクセス制御ＷＬＡＮ  ＭＡＣエンティティ又は上層エンティティを更に含み、前記抽象化層エンティティは更に、ＷＬＡＮ  ＭＡＣエンティティ又は上層エンティティからマルチメディアアクセスポイントの現在のＷＬＡＮの作動モードをクエリし、クエリして認識したマルチメディアアクセスポイントの現在のＷＬＡＮの作動モードを反対端のマルチメディアクライアントに通知し、又は、マルチメディアアクセスポイントの現在のＷＬＡＮの作動モードが変更した後、前記ＷＬＡＮ  ＭＡＣエンティティ又は上層エンティティの通知により、マルチメディアアクセスポイントの現在のＷＬＡＮの作動モードを認識し、認識したマルチメディアアクセスポイントの現在のＷＬＡＮの作動モードを反対端のマルチメディアクライアントに通知するように設定される。
【００２６】
データ伝送方法であって、マルチメディアクライアントＣｌｉｅｎｔが反対端のマルチメディアアクセスポイントＡＰから反対端のマルチメディアアクセスポイントの現在の無線ローカルエリアネットワークＷＬＡＮの作動モードを認識すること、前記マルチメディアクライアントは送信しようとするデータパケットの初期送信デバイスのアドレスと自体のアドレスを比較し、同一ではない場合、自体の現在のＷＬＡＮの作動モードと反対端のマルチメディアアクセスポイントの現在のＷＬＡＮの作動モードがいずれも三アドレスモードであるかどうかを判断し、そうであると、前記送信しようとするデータパケットが前記マルチメディアクライアントのワイヤレスフィデリティＷｉＦｉインターフェースにより送信されることを禁止することを確定すること、を含む。
【００２７】
好ましくは、前記マルチメディアクライアントは、前記送信しようとするデータパケットが前記マルチメディアクライアントのＷｉＦｉインターフェースにより送信されることを禁止することを確定した後、前記マルチメディアクライアントにおける前記ＷｉＦｉインターフェース以外のインターフェースにより、前記送信しようとするデータパケットを送信すること、を更に含む。
【００２８】
マルチメディアクライアントであって、抽象化層エンティティを含み、前記抽象化層エンティティは、反対端のマルチメディアアクセスポイントＡＰから反対端のマルチメディアアクセスポイントの現在の無線ローカルエリアネットワークＷＬＡＮの作動モードを認識し、送信しようとするデータパケットの初期送信デバイスのアドレスとマルチメディアクライアントＣｌｉｅｎｔのアドレスを比較し、同一ではない場合、マルチメディアクライアントの現在のＷＬＡＮの作動モードと反対端のマルチメディアアクセスポイントの現在のＷＬＡＮの作動モードがいずれも三アドレスモードであるかどうかを判断し、そうであると、前記送信しようとするデータパケットが前記マルチメディアクライアントのワイヤレスフィデリティＷｉＦｉインターフェースにより送信されることを禁止することを確定するように設定される。
【００２９】
好ましくは、前記抽象化層エンティティは更に、前記送信しようとするデータパケットが前記マルチメディアクライアントのＷｉＦｉインターフェースにより送信されることを禁止することを確定した後、前記マルチメディアクライアントにおける前記ＷｉＦｉインターフェース以外のインターフェースにより、前記送信しようとするデータパケットを送信するように設定される。
【００３０】
好ましくは、無線ローカルエリアネットワークメディアアクセス制御ＷＬＡＮ  ＭＡＣエンティティ又は上層エンティティを更に含み、前記抽象化層エンティティは更に、ＷＬＡＮ  ＭＡＣエンティティ又は上層エンティティからマルチメディアクライアントの現在のＷＬＡＮの作動モードをクエリし、クエリして認識したマルチメディアクライアントの現在のＷＬＡＮの作動モードを反対端のマルチメディアアクセスポイントに通知し、又は、マルチメディアクライアントの現在のＷＬＡＮの作動モードが変更した後、前記ＷＬＡＮ  ＭＡＣエンティティ又は上層エンティティの通知により、マルチメディアクライアントの現在のＷＬＡＮの作動モードを認識し、認識したマルチメディアクライアントの現在のＷＬＡＮの作動モードを反対端のマルチメディアアクセスポイントに通知するように設定される。
【発明の効果】
【００３１】
以上のように、マルチメディアホームネットワーク環境において、マルチメディアアクセスポイントで送信先アドレスがマルチメディアクライアントの下位関連デバイスのアドレスであるデータパケットを転送し、且つ、マルチメディアアクセスポイントとマルチメディアクライアントが三アドレスモードである場合、又は、マルチメディアクライアントで送信元アドレスがマルチメディアクライアントの下位関連デバイスのアドレスであるデータパケットを転送し、且つ、マルチメディアアクセスポイントとマルチメディアクライアントが三アドレスモードである場合、本発明は、データパケットがＷｉＦｉインターフェースから送信されることを禁止し、他のインターフェース、例えばＰＬＣなどにより送信されてよい。このように、マルチメディアクライアントの下位関連デバイスとマルチメディアアクセスポイントが正常なデータ通信を行うことを確保することができる。
【図面の簡単な説明】
【００３２】
【図１】関連技術におけるマルチメディアホームネットワークの抽象化層のモデルである。
【図２】関連技術におけるマルチメディアホームネットワークのネットワーキング図である。
【図３】本発明の実施形態におけるＷＬＡＮの作動モードのクエリと通知メカニズムのフローチャートである。
【図４】本発明の実施形態におけるデータフロー方向がマルチメディアアクセスポイントからマルチメディアクライアントまでの処理のフローチャートである。
【図５】本発明の実施形態におけるデータフロー方向がマルチメディアクライアントからマルチメディアアクセスポイントまでの処理のフローチャートである。
【図６】本発明の実施形態のマルチメディアアクセスポイントとマルチメディアクライアントのアーキテクチャ図である。
【発明を実施するための形態】
【００３３】
図２に示すように、マルチメディアホームネットワーク環境において、ＡＰがＣｌｉｅｎｔへデータパケットを送信して、且つ三アドレスモードを採用する場合、三アドレスモードが四アドレスモードに対してデータパケットの送信先アドレスが欠落される。ＣｌｉｅｎｔがＡＰへデータパケットを送信して、且つ三アドレスモードを採用する場合、三アドレスモードが四アドレスモードに対してデータパケット送信元アドレスが欠落される。これらを考慮し、ＷｉＦｉインターフェースにより送信元アドレス又は送信先アドレスがマルチメディアクライアントの下位関連デバイスのアドレスであるデータパケットを転送する。マルチメディアアクセスポイントとマルチメディアクライアントは三アドレスモードである場合、データパケットがＷｉＦｉインターフェースで転送されるときにマルチメディアクライアントの下位関連デバイスのアドレスを含むことができないので、マルチメディアクライアントの下位関連デバイスとマルチメディアアクセスポイントの上位接続又は下位関連のデバイスが正常に通信することができないことを引き起こす。
【００３４】
本実施形態において、マルチメディアアクセスポイントで送信しようとするデータパケットの送信先アドレスがマルチメディアクライアントの下位関連デバイスのアドレスであり、且つ、マルチメディアアクセスポイントとマルチメディアクライアントは三アドレスモードである場合、又は、マルチメディアクライアントでの送信しようとするデータパケットの送信元アドレスがマルチメディアクライアントの下位関連デバイスのアドレスであり、且つ、マルチメディアアクセスポイントとマルチメディアクライアントが三アドレスモードである場合、本実施形態においては、データパケットがＷｉＦｉインターフェースから送信されることを禁止し、マルチメディアアクセスポイント又はマルチメディアクライアントにおけるＷｉＦｉインターフェース以外のインターフェース、例えばＰＬＣ等から送信されてよい。本実施形態の方法によれば、マルチメディアクライアントの下位関連デバイスと正常なデータ通信を行うことを確保することができる。
【００３５】
本実施形態の方法を実現するために、マルチメディアアクセスポイントとマルチメディアクライアントのＷＬＡＮの作動モードを認識する必要があるため、本実施形態の方法は、ＷＬＡＮの作動モードのクエリとＷＬＡＮの作動モードの変更通知処理を含む。ＷＬＡＮの作動モードを認識した後、マルチメディアアクセスポイントとマルチメディアクライアントは、それぞれのＷＬＡＮの作動モードを相手に通知する必要がある。
【００３６】
以下、それぞれマルチメディアアクセスポイントのＷＬＡＮの作動モードのとマルチメディアクライアントのＷＬＡＮの作動モードの認識を説明する。
【００３７】
１．マルチメディアアクセスポイントのＷＬＡＮの作動モードの認識
ＡＰのＷＬＡＮの作動モードは三アドレスモードと四アドレスモードを含み、マルチメディアアクセスポイントの現在のＷＬＡＮの作動モードの認識は抽象化層により自動的にクエリすることができ、又はＷＬＡＮの作動モードが変更した後ＷＬＡＮ  ＭＡＣ又は上層により自動的に抽象化層に通知する。
【００３８】
（１）マルチメディアアクセスポイントのＷＬＡＮの作動モードのクエリ
本実施形態は、ＷＬＡＮの作動モードに基づく三アドレスモードであるので、マルチメディアアクセスポイントの現在のＷＬＡＮの作動モードをクエリする必要がある。クエリの方法は、マルチメディアアクセスポイントの抽象化層がマルチメディアアクセスポイントのＷＬＡＮ  ＭＡＣ層又は上層へのクエリであってよい。クエリのチャンスは、マルチメディアホームネットワークのネットワークが発見される際であってよく、抽象化層とＷＬＡＮ  ＭＡＣ層又は上層の間のインタラクションメッセージとインタラクションパラメータを定義することにより実現される。
【００３９】
（２）マルチメディアアクセスポイントのＷＬＡＮの作動モードの変更通知
ローカル又は遠隔ネットワーク管理は、マルチメディアアクセスポイントのＷＬＡＮの作動モードを修正する可能性がある。修正した後、マルチメディアアクセスポイントのＷＬＡＮ  ＭＡＣ層又は上層は修正した後のＷＬＡＮの作動モードを抽象化層に通知する。
【００４０】
２．マルチメディアクライアントのＷＬＡＮの作動モードの認識
ＣｌｉｅｎｔのＷＬＡＮの作動モードは、三アドレスモードと四アドレスモードを含む。マルチメディアクライアントの現在のＷＬＡＮの作動モードの認識のために、抽象化層により自動的にクエリすることができ、又はＷＬＡＮの作動モードが変更した後、ＷＬＡＮ  ＭＡＣ層又は上層により自動的に抽象化層に通知される。
【００４１】
（１）マルチメディアクライアントのＷＬＡＮの作動モードのクエリ
本実施形態は、ＷＬＡＮの作動モードに基づく三アドレスモードであるので、マルチメディアクライアントの現在のＷＬＡＮの作動モードをクエリする必要がある。クエリの方法はマルチメディアクライアントの抽象化層がマルチメディアクライアントのＷＬＡＮ  ＭＡＣ層又は上層へのクエリであってよい。クエリのチャンスは、マルチメディアホームネットワークのネットワークが発見される際であってよく、抽象化層とＷＬＡＮ  ＭＡＣ層又は上層の間のインタラクションメッセージとインタラクションパラメータを定義することにより実現される。
【００４２】
（２）ＷＬＡＮの作動モードの変更通知
ローカル又は遠隔ネットワーク管理はマルチメディアクライアントのＷＬＡＮの作動モードを修正する可能性がある。修正した後、マルチメディアクライアントのＷＬＡＮ  ＭＡＣ層又は上層は修正した後のＷＬＡＮの作動モードを抽象化層に通知する。
【００４３】
３．マルチメディアアクセスポイントとマルチメディアクライアントの抽象化層の間はそれぞれの現在のＷＬＡＮの作動モードを抽象化層の間のインタラクションメッセージにより相手に通知する。マルチメディアアクセスポイントとマルチメディアクライアントの抽象化層は、クエリ又は通知により現在のＷＬＡＮの作動モードを認識した後、定義された抽象化層メッセージにより現在のＷＬＡＮの作動モードパラメータを相手エンティティに通知する。
【００４４】
４．データパケット方向がマルチメディアアクセスポイントからマルチメディアクライアントへの方向である場合の処理プロセス
送信しようとするデータパケット方向がマルチメディアアクセスポイントからマルチメディアクライアントへの方向である場合、マルチメディアアクセスポイントの抽象化層はデータパケットにおける送信先ＭＡＣアドレス（送達すべき送信先デバイスのアドレス）と反対端マルチメディアクライアントのＭＡＣアドレスを比較する。両者が同一ではない場合、続いてマルチメディアアクセスポイントの現在のＷＬＡＮの作動モードとマルチメディアクライアントの現在のＷＬＡＮの作動モードがいずれも三アドレスモードであるかどうかを判断する。そうである場合、データパケットがＷｉＦｉインターフェースを介して送信されることを禁止し、マルチメディアアクセスポイントにおけるＷｉＦｉインターフェース以外の他のインターフェース（例えばＰＬＣ等）によりデータを伝送することができる。
【００４５】
５．データパケット方向がマルチメディアクライアントからマルチメディアアクセスポイントへの方向である場合の処理プロセス
データパケット方向がマルチメディアクライアントからマルチメディアアクセスポイントへの方向である場合、マルチメディアクライアントの抽象化層はデータパケットにおける送信元ＭＡＣアドレス（データパケットの初期送信デバイスのアドレス）とマルチメディアクライアントのＭＡＣアドレスを比較する。両者が同一ではない場合、続いてマルチメディアクライアントの現在のＷＬＡＮの作動モードとマルチメディアアクセスポイントの現在のＷＬＡＮの作動モードがいずれも三アドレスモードであるかどうかを判断する。そうであると、データパケットがＷｉＦｉインターフェースを介して送信されることを禁止し、抽象化層はマルチメディアクライアントにおけるＷｉＦｉインターフェース以外の他のインターフェース（例えばＰＬＣ等）によりデータを伝送することができる。
【００４６】
以下、図面を参照しながら実施例を合わせて本発明を詳しく説明する。なお、衝突しない場合には、本出願における実施例及び実施例における特徴を互いに組み合わせることができる。
【００４７】
図３に示すように、本実施形態においてＷＬＡＮの作動モードをクエリするプロセスは、以下を含む。
【００４８】
１．マルチメディアアクセスポイントのＷＬＡＮの作動モードのクエリを行うステップは、
マルチメディアホームネットワークのネットワークの発見などの過程において、マルチメディアアクセスポイントの抽象化層がマルチメディアアクセスポイントのＷＬＡＮ  ＭＡＣ層又は上層からＡＰの現在のＷＬＡＮの作動モードをクエリするステップ１．１と、
マルチメディアアクセスポイントのＷＬＡＮ  ＭＡＣ層又が上層が現在のＷＬＡＮの作動モードを抽象化層に返し、現在の作動モードは三アドレスモードと四アドレスモードを含むステップ１．２と、
マルチメディアアクセスポイントの抽象化層が現在のＷＬＡＮの作動モードを認識した後、定義された抽象化層メッセージによりマルチメディアアクセスポイントの現在のＷＬＡＮの作動モードをマルチメディアクライアントの抽象化層に通知するステップ１．３と、を含む。
【００４９】
制御メッセージは新しく定義された抽象化層制御メッセージであってよい。含まれたパラメータはマルチメディアアクセスポイントのＭＡＣアドレスとＷＬＡＮの作動モードという２つのパラメータを含む。
【００５０】
２．マルチメディアクライアントのＷＬＡＮの作動モードをクエリするステップは、
マルチメディアホームネットワークのネットワークの発見などの過程において、マルチメディアクライアントの抽象化層がマルチメディアクライアントのＷＬＡＮ  ＭＡＣ層又は上層からＣｌｉｅｎｔの現在のＷＬＡＮの作動モードをクエリするステップ１．１’と、
マルチメディアクライアントのＷＬＡＮ  ＭＡＣ層又は上層が現在のＷＬＡＮの作動モードを抽象化層に返し、現在のＷＬＡＮの作動モードは三アドレスモードと四アドレスモードを含むステップ１．２’と、
マルチメディアクライアントの抽象化層が現在のＷＬＡＮの作動モードを認識した後、定義された抽象化層メッセージにより現在のマルチメディアクライアントのＷＬＡＮの作動モードをマルチメディアアクセスポイントの抽象化層に通知するステップ１．３’と、を含む。
【００５１】
制御メッセージは新しく定義された抽象化層制御メッセージであってよい。含まれたパラメータは、現在マルチメディアクライアントのＭＡＣアドレスとＷＬＡＮの作動モードという２つのパラメータを含む。
【００５２】
３．マルチメディアアクセスポイントのＷＬＡＮの作動モードの変更通知ステップは、
マルチメディアアクセスポイントのＷＬＡＮ  ＭＡＣ又は上層が現在のＷＬＡＮの作動モードの変更を発見し、変更した後のＷＬＡＮの作動モードをマルチメディアアクセスポイントの抽象化層に通知するステップ２．１と、
マルチメディアアクセスポイントの抽象化層で定義された抽象化層メッセージによりマルチメディアアクセスポイントの現在のＷＬＡＮの作動モードをマルチメディアクライアントの抽象化層に通知するステップ２．２と、を含む。
【００５３】
制御メッセージは新しく定義された抽象化層制御メッセージであってよい。含まれたパラメータは、現在マルチメディアアクセスポイントのＭＡＣアドレスとＷＬＡＮの作動モードという２つのパラメータを含む。
【００５４】
４．マルチメディアクライアントのＷＬＡＮの作動モードの変更通知ステップは、
マルチメディアクライアントのＷＬＡＮ  ＭＡＣ又は上層が現在のＷＬＡＮの作動モードの変更を発見し、変更した後のＷＬＡＮの作動モードをマルチメディアクライアントの抽象化層に通知するステップ２．１’と、
マルチメディアクライアントの抽象化層で定義された抽象化層メッセージによりマルチメディアクライアントの現在のＷＬＡＮの作動モードをマルチメディアアクセスポイントの抽象化層に通知するステップ２．２’と、を含む。
【００５５】
制御メッセージは新しく定義された抽象化層制御メッセージであってよい。含まれたパラメータは、現在マルチメディアクライアントのＭＡＣアドレスとＷＬＡＮの作動モードという２つのパラメータを含む。
【００５６】
図４に示すように、本実施形態におけるデータフロー方向がマルチメディアアクセスポイントからマルチメディアクライアントへの方向であるデータパケットの送信方法は、
マルチメディアアクセスポイントの抽象化層は、送信しようとするデータパケットの送信先アドレス（送達すべき送信先デバイスのアドレス）と反対端のマルチメディアクライアントの現在のＭＡＣアドレスが同じであるかどうかを判断し、そうであると、ステップ４０２を実行し、そうでなければ、ステップ４０３を実行するステップ４０１と、
続いて抽象化層のもとの転送プロセスを行い、終了するステップ４０２と、
マルチメディアアクセスポイントの現在のＷＬＡＮの作動モードが三アドレスモードであるかどうかを判断すると同時に、反対端のマルチメディアクライアントの現在のＷＬＡＮの作動モードが三アドレスモードであるかどうかを判断し、そうであると、ステップ４０４を実行し、そうでなければ、ステップ４０２を実行するステップ４０３と、
抽象化層は送信しようとするデータパケットがＷｉＦｉインターフェースにより送信されることを禁止することを確定するステップ４０４と、を含む。
【００５７】
抽象化層は、マルチメディアアクセスポイントにおけるＷｉＦｉインターフェース以外のインターフェースにより送信しようとするデータパケットを送信する。
【００５８】
図５に示すように、本実施形態におけるデータフロー方向がマルチメディアクライアントからマルチメディアアクセスポイントへの方向であるデータパケットの送信方法は、
マルチメディアクライアントの抽象化層は送信しようとするデータパケットの送信元アドレス（送信しようとするデータパケットの初期送信デバイスのアドレス）とマルチメディアクライアントの現在のＭＡＣアドレスが同じであるかどうかを判断し、そうであると、ステップ５０２を実行し、そうでなければ、ステップ５０３を実行するステップ５０１と、
続いて抽象化層のもとの転送プロセスを行い、終了するステップ５０２と、
マルチメディアクライアントの現在のＷＬＡＮの作動モードが三アドレスモードであるかどうかを判断する同時に、反対端マルチメディアアクセスポイントの現在のＷＬＡＮの作動モードが三アドレスモードであるかどうかを判断し、そうであると、ステップ５０４を実行し、そうでなければ、ステップ５０２を実行するステップ５０３と、
抽象化層は送信しようとするデータパケットがＷｉＦｉインターフェースにより送信されることを禁止することを確定するステップ５０４と、を含む。
【００５９】
抽象化層は、マルチメディアクライアントにおけるＷｉＦｉインターフェース以外のインターフェースにより送信しようとするデータパケットを送信する。
【００６０】
図６を参照して、本実施形態は、マルチメディアアクセスポイントを提供し、抽象化層エンティティを含む。抽象化層エンティティは、反対端のマルチメディアクライアントＣｌｉｅｎｔから反対端のマルチメディアクライアントの現在の無線ローカルエリアネットワークＷＬＡＮの作動モードを認識し、送信しようとするデータパケットが送達すべき送信先デバイスのアドレスと反対端のマルチメディアクライアントのアドレスを比較し、同一ではない場合、マルチメディアアクセスポイントＡＰの現在のＷＬＡＮの作動モードと反対端のマルチメディアクライアントの現在のＷＬＡＮの作動モードがいずれも三アドレスモードであるかどうかを判断し、そうであると、送信しようとするデータパケットがマルチメディアアクセスポイントのワイヤレスフィデリティＷｉＦｉインターフェースにより送信されることを禁止することを確定することに用いられる。
【００６１】
抽象化層エンティティは更に、送信しようとするデータパケットがマルチメディアアクセスポイントのＷｉＦｉインターフェースにより送信されることを禁止すること確定した後、マルチメディアアクセスポイントにおけるＷｉＦｉインターフェース以外のインターフェースにより送信しようとするデータパケットを送信することに用いられる。
【００６２】
マルチメディアアクセスポイントは無線ローカルエリアネットワークメディアアクセス制御ＷＬＡＮ  ＭＡＣエンティティ又は上層エンティティを更に含み、抽象化層エンティティは更に、ＷＬＡＮ  ＭＡＣエンティティ又は上層エンティティからマルチメディアアクセスポイントの現在のＷＬＡＮの作動モードをクエリし、クエリして認識したマルチメディアアクセスポイントの現在のＷＬＡＮの作動モードを反対端のマルチメディアクライアントに通知し、又は、マルチメディアアクセスポイントの現在のＷＬＡＮの作動モードが変更した後、ＷＬＡＮ  ＭＡＣエンティティ又は上層エンティティの通知により、マルチメディアアクセスポイントの現在のＷＬＡＮの作動モードを認識し、認識したマルチメディアアクセスポイントの現在のＷＬＡＮの作動モードを反対端のマルチメディアクライアントに通知することに用いられる。
【００６３】
再び図６を参照して、本実施形態はマルチメディアクライアントを更に提供し、抽象化層エンティティを含み、抽象化層エンティティは、反対端のマルチメディアアクセスポイントＡＰから反対端のマルチメディアアクセスポイントの現在の無線ローカルエリアネットワークＷＬＡＮの作動モードを認識し、送信しようとするデータパケットの初期送信デバイスのアドレスとマルチメディアクライアントＣｌｉｅｎｔのアドレスを比較し、同一ではない場合、マルチメディアクライアントの現在のＷＬＡＮの作動モードと反対端のマルチメディアアクセスポイントの現在のＷＬＡＮの作動モードがいずれも三アドレスモードであるかどうかを判断し、そうであると、送信しようとするデータパケットがマルチメディアクライアントのワイヤレスフィデリティＷｉＦｉインターフェースにより送信されることを禁止することを確定することに用いられる。
【００６４】
抽象化層エンティティは更に、送信しようとするデータパケットがマルチメディアクライアントのＷｉＦｉインターフェースにより送信されることを禁止することを確定した後、マルチメディアクライアントにおけるＷｉＦｉインターフェース以外のインターフェースにより送信しようとするデータパケットを送信することに用いられる。
【００６５】
マルチメディアクライアントは無線ローカルエリアネットワークメディアアクセス制御ＷＬＡＮ  ＭＡＣエンティティ又は上層エンティティを更に含み、抽象化層エンティティは更に、ＷＬＡＮ  ＭＡＣエンティティ又は上層エンティティからマルチメディアクライアントの現在のＷＬＡＮの作動モードをクエリし、クエリして認識したマルチメディアクライアントの現在のＷＬＡＮの作動モードを反対端のマルチメディアアクセスポイントに通知し、又は、マルチメディアクライアントの現在のＷＬＡＮの作動モードが変更した後、ＷＬＡＮ  ＭＡＣエンティティ又は上層エンティティの通知により、マルチメディアクライアントの現在のＷＬＡＮの作動モードを認識し、認識したマルチメディアクライアントの現在のＷＬＡＮの作動モードを反対端のマルチメディアアクセスポイントに通知することに用いられる。
【００６６】
著しく、当業者は、上記の本発明の各モジュール又は各ステップは汎用の計算装置によって実現することができ、それらは単一の計算装置に集積してよいし、又は複数の計算装置からなるネットワークに配布されてもよい。選択的に、それらは、計算装置が実行可能なプログラムコードで実現してよく、それにより、それらを記憶装置に記憶して計算装置で実行してよい。且つある場合には、ここでの順序と異なる順序で示した又は記述したステップを実行してよい。又は、それらをそれぞれ各集積回路モジュールに製造して、又はそれらにおける複数のモジュール又はステップを単一の集積回路モジュールに製造して実現してよいことを了解すべきである。このように、本発明はいずれの特定なハードウェアとソフトウェアの組み合わせに限定されたものではない。
【００６７】
以上、前記のものは単に本発明の好ましい実施例であるだけで、本発明を限定するためのものではない。当業者にとって、本発明に各種の変更と変形を行うことができ、本発明の精神と原則にある限り、いずれの修正、等価置き換え、改善などは、いずれも本発明の保護範囲に含まれるべきである。
【産業上の利用可能性】
【００６８】
マルチメディアホームネットワーク環境において、マルチメディアアクセスポイントで送信先アドレスがマルチメディアクライアントの下位関連デバイスのアドレスであるデータパケットを転送し且つマルチメディアアクセスポイントとマルチメディアクライアントが三アドレスモードである場合、又は、マルチメディアクライアントで送信元アドレスがマルチメディアクライアントの下位関連デバイスのアドレスであるデータパケットを転送し且つマルチメディアアクセスポイントとマルチメディアクライアントが三アドレスモードである場合、本発明は、データパケットがＷｉＦｉインターフェースから送信されることを禁止し、他のインターフェース、例えばＰＬＣなどにより送信してよく、このように、マルチメディアクライアントの下位関連デバイスとマルチメディアアクセスポイントが正常なデータ通信を行うことを確保することができる。
【図１】
0005893226.tif 000002
【図２】
0005893226.tif 000003
【図３】
0005893226.tif 000004
【図４】
0005893226.tif 000005
【図５】
0005893226.tif 000006
【図６】
0005893226.tif 000007